(57)【要約】【課題】所定位置でクリック係合して位置決めされるスライド開閉方式を実現できるスライド装置を、部品点数が少なく、プレス加工などの簡易な手法と係合組み付けによって容易に製作でき、量産性に秀れ、またクリック係合間では適度なスライド抵抗によるフリーストップとなり、且つスムーズなスライドを容易に実現可能となる画期的なスライド装置並びにスライド装置を用いた電子機器を提供すること。【解決手段】長さ方向にガイド部３を有しガイドレールとして前記第一部材１に設けられる第一連結部４と、この第一連結部４にスライド自在に係合するスライド体として前記第二部材２に設けられる第二連結部５とから成り、前記第一連結部４のスライド面４Ａに沿ってスライドする係合突部６を形成したスライド板部８を前記第二連結部５に設け、前記係合突部６が係合して前記第一連結部４に対する前記第二連結部５のスライド位置が係合保持される係合孔７を、前記第一連結部４のスライド面４Ａに形成したスライド装置。【選択図】        図２
2004186854.tif 000002
【特許請求の範囲】
【請求項１】
第一部材とこの第一部材に重合配設した第二部材とをスライド自在に連結するスライド装置であって、長さ方向にガイド部を有しガイドレールとして前記第一部材に設けられる第一連結部と、この第一連結部にスライド自在に係合するスライド体として前記第二部材に設けられる第二連結部とから成り、前記第一連結部のスライド面に沿ってスライドする係合突部又は係合凹部若しくは係合孔を形成したスライド板部を前記第二連結部に設け、前記係合突部又は係合凹部若しくは係合孔が係合して前記第一連結部に対する前記第二連結部のスライド位置が係合保持される係合凹部若しくは係合孔又は係合突部を、前記第一連結部のスライド面に形成したことを特徴とするスライド装置。
【請求項２】
前記第一連結部は、板材の側縁に立ち下げげ部若しくは立ち上げ部を形成して長さ方向にガイド部を設けたガイドレールとして構成し、前記第二連結部は、前記第一連結部の前記ガイド部をガイドとしてこの第一連結部にスライド自在に係合する板状のスライド体として構成したことを特徴とする請求項１記載のスライド装置。
【請求項３】
前記スライド板部は、前記第一連結部と前記第二連結部との間に介在して前記第一連結部に対する前記第二連結部のスライド移動と共にスライド移動するように前記第二連結部に設けたことを特徴とする請求項１，２のいずれか１項に記載のスライド装置。
【請求項４】
板材で形成したスライド板部を折曲してこのスライド板部に係合突部を形成し、このスライド板部は前記第一連結部と第二連結部とをスライド自在に係合した際この第一連結部と第二連結部との間に介在して第二連結部のスライド移動と共に第一連結部のスライド面に前記係合突部を当接しながらスライド移動するように構成し、前記係合突部が係合して前記第一連結部に対する前記第二連結部のスライド位置を係合保持する係合凹部若しくは係合孔を前記第一連結部のスライド面に形成したことを特徴とする請求項１〜３のいずれか１項に記載のスライド装置。
【請求項５】
前記第一連結部と前記第二連結部との間に介在して前記第二連結部のスライド移動及び前記スライド板部のスライド移動と共にスライド移動する介在補助板部を設け、この介在補助板部は、前記第一連結部に当接することによって、スライド抵抗が生じ、スライド時には、この介在補助板部によるスライド抵抗と、前記スライド板部若しくは前記第一連結部に設けた係合突部がスライド面に当接することで生じるスライド抵抗とが生じるように構成したことを特徴とする請求項１〜４のいずれか１項に記載のスライド装置。
【請求項６】
前記第一連結部と前記第二連結部との間に介在して前記第二連結部のスライド移動及び前記スライド板部のスライド移動と共にスライド移動する介在補助板部を設け、この介在補助板部に前記スライド板部に設けた係合突部が突出して係合突部を前記第一連結部のスライド面に当接させる開口部若しくは切欠部を設け、前記介在補助板部が前記第一連結部のスライド面に当接することによって、スライド抵抗が生じ、スライド時にはこの介在補助板部によるスライド抵抗と、前記スライド板部の係合突部がこのスライド面に当接することで生じるスライド抵抗とが生じるように構成したことを特徴とする請求項５及び６記載のスライド装置。
【請求項７】
操作部を設けた本体部と、ディスプレイ部を設けた重合部とを、前記操作部を操作しない時にはこの操作部を覆うように重合配設し、この重合した状態から前記重合部を相対的に重合面に対して略平行にスライド移動して操作部を露出させることができるように前記本体部と前記重合部とを連結するスライド装置を有し、このスライド装置には、前記本体部を前記第二部材若しくは第一部材とし、前記重合部を前記第一部材若しくは第二部材とした前記請求項１〜６のいずれか１項に記載のスライド装置を用いたことを特徴とするスライド装置を用いた電子機器。
【発明の詳細な説明】
【０００１】
【発明の属する技術分野】
本発明は、スライド装置並びにスライド装置を用いた携帯電話，モバイルなどの電子機器に関するものである。
【０００２】
【従来の技術及び発明が解決しようとする課題】
例えば従来の折り畳み式の携帯電話は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り替えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させずらい欠点もある。
【０００５】
そこで、起伏回動により開閉動作するのではなく、重合面に沿って前後方向に重合部をスライド移動して開閉動作するように構成すれば、重合部の上側面にディスプレイ部を設けることができ、例えば不使用時あるいはキー操作不要時に重合した際においても、言い換えるとたとえディスプレイ部を設けた重合部を本体部に重合して操作部を隠蔽したコンパクト化状態においても、ディスプレイ部が上側に配設され、ディスプレイ部を視認したり、機能させたりすることが可能となり、また重合してコンパクト化した状態から操作部及びディスプレイ部を露出した状態に切り替える場合は、重合面に沿って前後方向に重合部をスライド移動することで行なえるため、この開放動作も非常に容易に行なえ、機器装置として使用用途が広がり、しかも前記開閉動作も容易となる携帯電話，モバイルなどの電子機器となる。
【０００６】
このようにスライド開閉方式に構成する場合には、本体部と重合部とをスライド自在に連結するスライド装置を用いることになるが、本体部の操作部を重合部で隠蔽した重合閉塞位置と、重合部を位置ズレするように前後方向へスライド移動させて操作部を露出させたスライド開放位置とで位置決め保持（クリック係合）するように構成することが望ましい。
【０００７】
本発明は、このような所定位置でクリック係合して位置決めされるスライド開閉方式を実現できるスライド装置を、部品点数が少なく、プレス加工などの簡易な手法と係合組み付けによって容易に製作でき、量産性に秀れ、またクリック係合間では適度なスライド抵抗によるフリーストップとなり、且つスムーズなスライドを容易に実現可能となる画期的なスライド装置並びにスライド装置を用いた電子機器を提供することを目的としている。
【０００８】
【課題を解決するための手段】
添付図面を参照して本発明の要旨を説明する。
【０００９】
第一部材１とこの第一部材１に重合配設した第二部材２とをスライド自在に連結するスライド装置であって、長さ方向にガイド部３を有しガイドレールとして前記第一部材１に設けられる第一連結部４と、この第一連結部４にスライド自在に係合するスライド体として前記第二部材２に設けられる第二連結部５とから成り、前記第一連結部４のスライド面４Ａに沿ってスライドする係合突部６又は係合凹部７若しくは係合孔７を形成したスライド板部８を前記第二連結部５に設け、前記係合突部６又は係合凹部７若しくは係合孔７が係合して前記第一連結部４に対する前記第二連結部５のスライド位置が係合保持される係合凹部７若しくは係合孔７又は係合突部６を、前記第一連結部４のスライド面４Ａに形成したことを特徴とするスライド装置に係るものである。
【００１０】
また、前記第一連結部４は、板材の側縁に立ち下げげ部若しくは立ち上げ部を形成して長さ方向にガイド部３を設けたガイドレールとして構成し、前記第二連結部５は、前記第一連結部４の前記ガイド部３をガイドとしてこの第一連結部４にスライド自在に係合する板状のスライド体として構成したことを特徴とする請求項１記載のスライド装置に係るものである。
【００１１】
また、前記スライド板部８は、前記第一連結部４と前記第二連結部５との間に介在して前記第一連結部４に対する前記第二連結部５のスライド移動と共にスライド移動するように前記第二連結部５に設けたことを特徴とする請求項１，２のいずれか１項に記載のスライド装置に係るものである。
【００１２】
また、板材で形成したスライド板部８を折曲してこのスライド板部８に係合突部６を形成し、このスライド板部８は前記第一連結部４と第二連結部５とをスライド自在に係合した際この第一連結部４と第二連結部５との間に介在して第二連結部５のスライド移動と共に第一連結部４のスライド面４Ａに前記係合突部６を当接しながらスライド移動するように構成し、前記係合突部６が係合して前記第一連結部４に対する前記第二連結部５のスライド位置を係合保持する係合凹部７若しくは係合孔７を前記第一連結部４のスライド面４Ａに形成したことを特徴とする請求項１〜３のいずれか１項に記載のスライド装置に係るものである。
【００１３】
また、前記第一連結部４と前記第二連結部５との間に介在して前記第二連結部５のスライド移動及び前記スライド板部８のスライド移動と共にスライド移動する介在補助板部９を設け、この介在補助板部９は、前記第一連結部４に当接することによって、スライド抵抗が生じ、スライド時には、この介在補助板部９によるスライド抵抗と、前記スライド板部８若しくは前記第一連結部４に設けた係合突部６がスライド面に当接することで生じるスライド抵抗とが生じるように構成したことを特徴とする請求項１〜４のいずれか１項に記載のスライド装置に係るものである。
【００１４】
また、前記第一連結部４と前記第二連結部５との間に介在して前記第二連結部５のスライド移動及び前記スライド板部８のスライド移動と共にスライド移動する介在補助板部９を設け、この介在補助板部９に前記スライド板部８に設けた係合突部６が突出して係合突部６を前記第一連結部４のスライド面４Ａに当接させる開口部１０若しくは切欠部１０を設け、前記介在補助板部９が前記第一連結部４のスライド面４Ａに当接することによって、スライド抵抗が生じ、スライド時にはこの介在補助板部９によるスライド抵抗と、前記スライド板部８の係合突部６がこのスライド面４Ａに当接することで生じるスライド抵抗とが生じるように構成したことを特徴とする請求項５及び６記載のスライド装置に係るものである。
【００１５】
また、操作部を設けた本体部と、ディスプレイ部を設けた重合部とを、前記操作部を操作しない時にはこの操作部を覆うように重合配設し、この重合した状態から前記重合部を相対的に重合面に対して略平行にスライド移動して操作部を露出させることができるように前記本体部と前記重合部とを連結するスライド装置を有し、このスライド装置には、前記本体部を前記第二部材若しくは第一部材とし、前記重合部を前記第一部材若しくは第二部材とした前記請求項１〜６のいずれか１項に記載のスライド装置を用いたことを特徴とするスライド装置を用いた電子機器に係るものである。
【００１６】
【発明の実施の形態】
好適と考える本発明の実施の形態（発明をどのように実施するか）を、図面に基づいてその作用効果を示して簡単に説明する。
【００１７】
第一部材１に設ける第一連結部４と、第二部材２に設ける第二連結部５とをスライド自在に係合連結することで、第一部材１は第二部材２に対して第一連結部４の長さ方向に沿ってスライド移動自在に連結される。
【００１８】
例えば、第二部材２上に第一部材１を重合配設する場合、第一部材１の裏面側に第一連結部４を設け、第二部材２上に第二連結部５を設け、この第一連結部４と第二連結部５とをスライド自在に抜け止め係合する。
【００１９】
また例えば、第一連結部４は立ち下げ部（図１〜図４ではスライド装置を装着時とは上下逆に図示しているため、立ち上げ部として図示されている。）が内側へ傾斜あるいは折り返されているチャンネル状の帯板に形成するなどして、平坦部がスライド面４Ａとなる板材の側縁に形成した立ち下げ部や折り返し部をガイド部３としたガイドレールに構成し、第二連結部５はこのガイド部３間に抜け止め係合してガイド部３をガイドとしガイド面４Ａに沿って移動する短尺なスライド板に構成し、このガイドレールに構成した第一連結部４にスライド板として構成した第二連結部５をスライド移動自在にガイド部３間に抜け止め係合することで、この第二連結部５の長さ方向をスライド方向として第二部材２に対して第一部材１をスライド移動自在に連結することができることとなる。
【００２０】
また、本発明は、この第一連結部４と第二連結部５との間に、第一連結部４に対して第二連結部５を（相対的に）スライド移動させるとこの第二連結部５と共に第一連結部４に対してスライド移動するスライド板部８を介在状態に設ける。
【００２１】
即ち、第二連結部５にスライド板部８を固定あるいは固定せずとも少なくとも第二連結部５の（相対的な）スライド移動に対して係止され、第二連結部５と共に移動するように第二連結部５の第一連結部４との重合側に設ける。
【００２２】
そして、このスライド板部８，第一連結部４の一方に係合突部６を設け、他方にこれと係合する（離脱自在にクリック係合する）係合凹部７若しくは係合孔７を設ける。
【００２３】
例えば、板状のスライド板部８を折曲加工してスライド板部８に第一連結部４のスライド面４Ａにスライド当接する係合突部６を設け、第一連結部４のスライド面４Ａの位置決め保持したい位置に係合孔７を形成する。
【００２４】
従って、第二連結部５（第二部材２）に対して第一連結部４（第一部材１）を相対的にスライド移動させると、係合突部６はスライド面４Ａにスライド当接し、係合凹部７と合致すると係合し、所定スライド位置で位置決め保持されることとなる。
【００２５】
従って、第一連結部４，第二連結部５も板材からのプレス加工で形成でき、スライド板部８も係合突部６は係合孔７もまた介在補助板部９もプレス加工によって形成できるため、部品点数も少なく製作も容易で、組み付けも例えば第一連結部４の一端からガイド部３間に、スライド板部８を裏側に配した第二連結部５と介在補助板部９とを重合してスライド挿入係合するだけで組み付けでき、コスト安にして製作も容易で量産性に極めて秀れることとなる。
【００２６】
また、第一連結部４に対して第二連結部５と共にスライド板部８を（相対的に）スライドさせる際、係合突部６とスライド面とのスライド当接によってスライド抵抗を生じる。
【００２７】
このスライド抵抗を適正にすることでスライド位置がふらつかず、いわゆる手を離したときのスライド位置がこのスライド抵抗によって保持されるフリーストップが実現できる。
【００２８】
即ち、このスライド抵抗が不十分であるとスライド位置がふらつき、またスライド抵抗を大きくしすぎると、スライドがスムーズに行かなくなる。
【００２９】
本発明は、このフリーストップと例えば重合閉塞位置とスライド開放位置とでのクリック保持（位置決め保持）とを前記スライド板部８の介在により容易に実現できることとなる。
【００３０】
また一方、前記スライド抵抗を係合突部６とスライド面とのスライド当接にのみ頼ると、スライド面を十分に滑らかにする必要があり、スライド板部８の折曲によって係合突部６を形成する場合、スライド板部８の材質に応じた突出度の精度がかなり必要となってしまう。即ち、クリック保持が良好に行なえると共にこのクリック保持間でスムーズなスライド移動でありながらフリーストップを実現するためには、スライド面をかなりの滑面となるように鏡面加工などしなければスライド板部８に形成する係合突部６の突出度をかなり精度良く設計する必要がある。
【００３１】
そこで、更に本発明では、このフリーストップと位置決め保持を実現しつつスムーズにスライドできるように製作することが、ラフな製作でも容易に実現できるように、第一連結部４と第二連結部５との間にスライド抵抗を生じさせる介在補助板部９を更に介在しても良い（この介在補助板部９を介在することで前記問題も簡単に解決でき、更に実用性が向上する。）。
【００３２】
即ち、例えばスライド板部８と重合状態に介在補助板部９を第一連結部４と第二連結部５との間に介在し、第二連結部５の（相対的な）スライド移動と共にスライド板部８と一緒にスライド移動するように第二連結部５に設け、この介在補助板部９にはスライド板部８に設けた係合突部６が突出してスライド面４Ａにスライド当接する開口部１０を設けた構成とすれば、スライド時には、スライド板部８の係合突部６が開口部１０を介してスライド面４Ａにスライド当接するだけでなく、介在補助板部９もスライド面４Ａに当接するため介在補助板部９によるスライド抵抗も更に生じることとなる。従って、係合突部６を強くスライド面４Ａに圧接しなくても介在補助板部９を介在させることによるスライド抵抗も生じるためフリーストップを実現できる十分なスライド抵抗を確保できる。
【００３３】
しかも、係合突部６一点での圧接ではないため、スライド面４Ａが十分に滑らかでなくてもスライド抵抗が生じる部分が広くあるいは複数あるいは分散しているためフリーストップ実現のためトータルのスライド抵抗を大きくしてもスムーズにスライド移動でき、またそれ故係合突部６を強く圧接しなくてもよいから、係合突部６が係合凹部７若しくは係合孔７に係合した状態から離脱させてスライドさせるときも、強い力が必要とならず、この意味でもスムーズにスライド移動できることとなる。
【００３４】
この場合も、介在補助板部９の製作も容易であり、組み付けも例えばスライド板部８と介在補助板部９を重合し、第二連結部５と共に第一連結部４の一端からスライド挿入係合するだけで良いように構成できるため、量産性に秀れた画期的なスライド装置となる。
【００３５】
【実施例】
本発明の具体的な実施例について図面に基づいて説明する。
【００３６】
本実施例は、重合コンパクト化の図れる携帯電話に本発明を適用したもので、回路基板，電源などの電子部品をケースに内装した板状の第二部材２（本体部２）の上面側に数字キーやファンクションキーなどを配列したキーボード機能を果たす操作部を設け、この本体部２に重合して操作部を覆う略同形の板状の第一部材１（重合部１）を略水平前後方向にスライド自在にスライド装置により連結した構成としている。
【００３７】
この重合部１の上面側には予め設定した画面や前記操作部の操作や着信などにより所定の表示がなされる液晶パネルなどのディスプレイ部を設けている。
【００３８】
この本体部２と重合部１との連結は、双方の重合部分の互いの伏面に第二連結部５及び第一連結部４を付設し、この第一連結部４と第二連結部５とをスライド自在に抜け止め係合し、第一連結部４の長さ方向に第二連結部５を（相対的に）スライドさせることで、本体部１に対して重合部１をスライド自在に開閉できるように構成している。また、この本体部２と重合部１とをスライド自在に連結するスライド装置は、本体部２の操作部を重合部１で隠蔽した重合閉塞位置と、重合部１を位置ズレするように前後方向へスライド移動させて操作部を露出させたスライド開放位置とで位置決め保持（クリック係合）するように構成している。
【００３９】
以下、本実施例のこのスライド装置について更に説明する。
【００４０】
長さ方向にガイド部３を有しガイドレールとして前記第一部材１（重合部１）に設けられる第一連結部４と、この第一連結部４にスライド自在に抜け止め係合するスライド体として前記第二部材２（本体部２）に設けられる第二連結部５とから成り、前記第一連結部４のスライド面４Ａに沿ってスライドする係合突部６を形成したスライド板部８を前記第二連結部５に設け、この係合突部６が係合して前記第一連結部４に対する前記第二連結部５のスライド位置が係合保持される係合孔７を、前記第一連結部４のスライド面４Ａに形成した構成としている。
【００４１】
具体的には、前記第一連結部４は、帯板状のガイドレールであって、板材の両側縁を立ち下げて内側へ折曲し（かぎ状あるいはカール状に折曲しても良く、また立ち上げ部を内側に傾斜させてアギ状としても良い。）、この両側縁の長さ方向に形成された折り返し状の立ち下げ部（図１〜図４ではスライド装置を装着時とは上下逆に図示しているため、立ち上げ部として図示されている。）をガイド部３とすると共に下方（図面では上方）へ抜け止め機能を果たすようにし、平坦部をガイド面４Ａとするガイドレールに構成し、前記第二連結部５は、この第一連結部４の前記ガイド部３をガイドとしてこの第一連結部４にスライド自在に抜け止め係合する短尺板状のスライド体として構成している。
【００４２】
即ち、ガイドレールとして構成した第一連結部４は、両側縁に抜け止めガイド機能を有する折り返し状の立ち下げ部（ガイド部３となると共に抜け止め係合部となる）を有し（下側（図面では上側）にスライド用開放部を有し）、この第一連結部４の一端からガイド部３間に第二連結部５をスライド挿入してスライド自在に抜け止め係合するように構成している。
【００４３】
また、本実施例の第二連結部５は、両側縁を立ち上げて（図面では立ち下げて）内側へ水平折曲し、この折り返し状の立ち上げ水平折曲部を前記折り返し状の立ち下げ部（ガイド部３）にスライド自在に重合抜け止め係合することにより、第二連結部５の主体部が第一連結部４のスライド面４Ａより下方へ（図面では上方へ）浮上した状態となるように構成している。
【００４４】
この第二連結部５の主体部が盛り上がった状態となることで、この第二連結部５を第二部材２に固定するための固定部、例えばネジ止め用のタップの形成などが容易となると共にスライド板部８の介在スペースを確保できることとなる。
【００４５】
また、本実施例ではこの第二連結部５の重合側にスライド方向に係止状態に板状のスライド板部８を介在し、第二連結部５と共にこのスライド板部８が一緒に移動するように構成している。具体的には第二連結部５に形成した二ヶ所の係止部１１（タップ部１１）間にスライド板部８を配設して第二連結部５に固定しないものの第二連結部５と共に移動するように構成している。
【００４６】
そして、この板材で形成したスライド板部８の中央を上方へ（図面では下方へ）折曲して後述する介在補助板部９の開口部１０に係合するように構成し、この開口部１０に係合する湾曲部の中央を更に湾曲させて小突部を形成して、このスライド板部８に弾性のある係合突部６を形成し、このスライド板部８は前記第一連結部４と第二連結部５とをスライド自在に係合した際この第一連結部４と第二連結部５との間に介在して第二連結部５の（相対的な）スライド移動と共に第一連結部４のスライド面４Ａに前記係合突部６を弾圧当接しながらスライド移動するように構成している。また、この係合突部６が係合して前記第一連結部４に対する前記第二連結部５のスライド位置を係合保持する係合孔７を前記第一連結部４のスライド面４Ａに形成している。
【００４７】
また、更に本実施例では、前記第一連結部４と前記第二連結部５との間に介在して前記第二連結部５のスライド移動及び前記スライド板部８のスライド移動と共にスライド移動する介在補助板部９を設け、この介在補助板部９に前記スライド板部８に設けた係合突部６が突出して係合突部６を前記第一連結部４のスライド面４Ａに当接させる開口部１０を設け、前記介在補助板部９の前記係合突部６を挟んだ左右の湾曲当接部が前記第一連結部４のスライド面４Ａに当接することによって、スライド抵抗が生じ、スライド時にはこの介在補助板部９によるスライド抵抗と、前記スライド板部８の係合突部６がこのスライド面４Ａに当接することで生じるスライド抵抗とが生じるように構成している。
【００４８】
即ち、本実施例では、前述のようにガイドレールとなる第一連結部４の両側縁の先端が内側へ折り返された立ち下げ部（ガイド部３）間に第二連結部５の水平折曲縁を係合し、第一連結部４の開放部から盛り上がった第二連結部５の主体部にこの第二部材２に取り付けるためのタップ部１１を設け、この第一連結部４の重合側にタップ部１１を係止部１１としてこの係止部１１間に係止して係合突部６を有するスライド板部８を配設し、このスライド板部８の係合突部６を介在補助板部９の開口部１０に係合して開口部１０から係合突部６を突出させると共に、この係合と介在補助板部９の端部での折り返し立ち下げ（図面では折り返し立ち上げ）によってスライド板部８と介在補助板部９とを係止させて、この第二連結部５の重合側にスライド板部８と介在補助板部９とを重合配設させ、スライドに対して一体化したものを第一連結部１の端部からスライド挿入して抜け止め係合する構成としている。
【００４９】
従って、第一連結部４，第二連結部５も板材からのプレス加工で形成でき、スライド板部８も係合突部６，係合孔７もまた介在補助板部９もプレス加工によって形成できるため、部品点数も少なく製作も容易で、組み付けも前述のように例えば第一連結部４の一端からガイド部３間に、スライド板部８を裏側に配した第二連結部５と介在補助板部９とを重合してスライド挿入係合するだけで組み付けでき、コスト安にして製作も容易で量産性に極めて秀れることとなる。
【００５０】
また、第一連結部４に対して第二連結部５と共にスライド板部８を（相対的に）スライド移動させる際、係合突部６とスライド面４Ａとのスライド当接によってスライド抵抗を生じるが、このスライド抵抗を適正にすることでスライド位置がふらつかず、いわゆる手を離したときのスライド位置がこのスライド抵抗によって保持されるフリーストップが実現できる。しかし、スライド抵抗を係合突部６とスライド面４Ａとのスライド当接にのみ頼ると、スライド面を十分に滑らかにする必要があり、スライド板部８の折曲によって係合突部６を形成する場合、スライド板部８の材質に応じた突出度の精度がかなり必要となってしまう。即ち、クリック保持が良好に行なえると共にこのクリック保持間でスムーズなスライド移動でありながらフリーストップを実現するためには、スライド面をかなりの滑面となるように鏡面加工などしなければスライド板部８に形成する係合突部６の突出度をかなり精度良く設計する必要がある。
【００５１】
そこで、更に本実施例では、このフリーストップと位置決め保持を実現しつつスムーズにスライドできるように製作することが、ラフな製作でも容易に実現できるように、前述のように第一連結部４と第二連結部５との間にスライド抵抗を生じさせる介在補助板部９を更に介在している。
【００５２】
従って、本実施例では、スライド時には、スライド板部８の係合突部６が開口部１０を介してスライド面４Ａにスライド当接するだけでなく、介在補助板部９もスライド面４Ａに当接するため介在補助板部９によるスライド抵抗も更に生じることとなる。それ故、係合突部６を強くスライド面４Ａに圧接しなくても介在補助板部９を介在させることによるスライド抵抗も生じるためフリーストップを実現できる十分なスライド抵抗を確保でき、しかも、係合突部６一点での圧接ではないため、スライド面４Ａが十分に滑らかでなくてもスライド抵抗が生じる部分が広くあるいは複数あるいは分散しているためフリーストップ実現のためトータルのスライド抵抗を大きくしてもスムーズにスライド移動でき、またそれ故係合突部６を強く圧接しなくてもよいから、係合突部６が係合孔７に係合した状態から離脱させてスライドさせるときも、強い力が必要とならず、この意味でもスムーズにスライド移動できることとなる。
【００５３】
尚、本発明は、本実施例に限られるものではなく、各構成要件の具体的構成は適宜設計し得るものである。
【００５４】
【発明の効果】
本発明は上述のように構成したから、所定位置でクリック係合して位置決めされるスライド開閉方式を実現できるスライド装置を、部品点数が少なく、プレス加工などの簡易な手法と係合組み付けによって容易に製作でき、量産性に秀れ、またクリック係合間では適度なスライド抵抗によるフリーストップとなり、且つスムーズなスライドを容易に実現可能となる画期的なスライド装置並びにスライド装置を用いた電子機器となる。
【００５５】
また、請求項２，３，４記載の発明においては、一層容易に実現できる極めて実用性に秀れたスライド装置となる。
【００５６】
また、請求項５，６記載の発明においては、簡易な構成にして、係合突部を強くスライド面に圧接しなくても介在補助板部を介在させることによるスライド抵抗も生じるためフリーストップを実現できる十分なスライド抵抗を確保でき、しかも、係合突部一点での圧接ではないため、スライド面が十分に滑らかでなくてもスライド抵抗が生じる部分が広くあるいは複数あるいは分散しているためフリーストップ実現のためトータルのスライド抵抗を大きくしてもスムーズにスライド移動でき、またそれ故係合突部を強く圧接しなくてもよいから、係合突部が係合凹部若しくは係合孔に係合した状態から離脱させてスライドさせるときも、強い力が必要とならず、この意味でもスムーズにスライド移動でき、この場合も、介在補助板部の製作も容易であり、組み付けも例えばスライド板部と介在補助板部を重合し、第二連結部と共に第一連結部の一端からスライド挿入係合するだけで良いように構成できるため、量産性に秀れた画期的なスライド装置となる。
【図面の簡単な説明】
【図１】本実施例の組み付け状態の斜視図（図５の実装時とは上下逆にした状態で図示している。）である。
【図２】本実施例の分解斜視図（図５の実装時とは上下逆にした状態で図示している。）である。
【図３】本実施例の組み付け状態のフリーストップ時の断面図（図５の実装時とは上下逆にした状態で図示している。）である。
【図４】本実施例の組み付け状態のクリック係合時の断面図（図５の実装時とは上下逆にした状態で図示している。）である。
【図５】本実施例の使用状態を示す説明斜視図である。
【符号の説明】
１  第一部材
２  第二部材
３  ガイド部
４  第一連結部
４Ａ  スライド面
５  第二連結部
６  係合突部
７  係合凹部，係合孔
８  スライド板部
９  介在補助板部
１０  開口部，切欠部
【図１】
2004186854.tif 000003
【図２】
2004186854.tif 000004
【図３】
2004186854.tif 000005
【図４】
2004186854.tif 000006
【図５】
2004186854.tif 000007